(57)【特許請求の範囲】
【請求項１】
送水配管で送られてくる水を泡消火薬剤と所定の混合率で混合する流量に制御する水側オリフィスと、前記水側オリフィスの上流側の前記送水配管から分岐して設けられ泡消火薬剤貯蔵タンク内に水を送り込んで前記泡消火薬剤貯蔵タンク内の泡消火薬剤を加圧する水導入管と、導入された水による前記泡消火薬剤貯蔵タンク内の加圧によって送出された前記泡消火薬剤を前記水側オリフィスの下流側に位置する前記送水配管に設けられた合流部に送り出して前記水側オリフィスを通過してきた水と合流させる泡消火薬剤送出管と、前記泡消火薬剤貯蔵タンク内の加圧によって送出される前記泡消火薬剤を水と所定の混合率で混合する流量に制御する泡消火薬剤側オリフィスと、前記合流部で生成された泡水溶液を送出する泡水溶液配管とを備えたダイヤフラムによるプレッシャー・プロポーショナー方式の泡消火薬剤混合装置において、  前記泡消火薬剤側オリフィスは前記水導入管に設けられていることを特徴とするプレッシャー・プロポーショナー方式の泡消火薬剤混合装置。
【請求項２】
送水配管で送られてくる水の流量を制御する水側オリフィスと、前記水側オリフィスの上流側の前記送水配管から分岐して設けられ泡消火薬剤貯蔵タンク内に水を送り込んで前記泡消火薬剤貯蔵タンク内の泡消火薬剤を加圧する水導入管と、導入された水による前記泡消火薬剤貯蔵タンク内の加圧によって送出された前記泡消火薬剤を前記水側オリフィスの下流側に位置する前記送水配管に設けられた合流部に送り出して前記水側オリフィスを通過してきた水と合流させる泡消火薬剤送出管と、前記泡消火薬剤貯蔵タンク内の加圧によって送出される前記泡消火薬剤の流量を制御する泡消火薬剤側オリフィスと、前記合流部で生成された泡水溶液を送出する泡水溶液配管とを備えたプレッシャー・プロポーショナー方式の泡消火薬剤混合装置において、 前記水側オリフィスと前記泡消火薬剤側オリフィスは設計標準温度で所定の泡水溶液の濃度に混合されるようにオリフィス径が決定されており、前記泡消火薬剤側オリフィスは前記水導入管に設けられていることを特徴とするプレッシャー・プロポーショナー方式の泡消火薬剤混合装置。
【請求項３】
前記水側オリフィスと前記泡消火薬剤側オリフィスは通過面積が固定されたオリフィスのみであることを特徴とする請求項２に記載のプレッシャー・プロポーショナー方式の泡消火薬剤混合装置。
【請求項４】
前記泡消火薬剤送出管と前記送水配管は合流部にて所定の混合率の前記泡水溶液が配管上で生成されることを特徴とする請求項２又は３のいずれか１項に記載のプレッシャー・プロポーショナー方式の泡消火薬剤混合装置。
【発明の詳細な説明】
【技術分野】
【０００１】
本発明は、送水ポンプから圧送されてくる水の一部を泡消火薬剤貯蔵タンクに導入し、該泡消火薬剤貯蔵タンクに貯蔵されている泡消火薬剤を押し出して前記水と合流させることによって、泡水溶液を生成するプレッシャー・プロポーショナー方式の泡消火薬剤混合装置に関するものである。
【背景技術】
【０００２】
泡消火薬剤混合装置として、送水配管に水の流量を制御する水側オリフィスが設けられ、水側オリフィスの上流側の送水配管には、泡消火薬剤貯蔵タンク内に水を送り込む水導入管が送水配管から分岐して設けられ、泡消火薬剤貯蔵タンク内に導入された水の圧力を利用し、泡消火薬剤貯蔵タンク内の泡消火薬剤と水とを直接加圧方式やダイヤフラム加圧方式といった加圧方式により置換させて泡消火薬剤を押し出し、押し出された泡消火薬剤を泡消火薬剤送出管により前記水側オリフィスの下流側の送水配管に設けられた合流部に送り出して前記水側オリフィスを通過してきた水と合流させ泡水溶液を生成する、プレッシャー・プロポーショナー方式の泡消火薬剤混合装置が知られている。
泡消火薬剤送出管には泡消火薬剤貯蔵タンク内から送り出される泡消火薬剤の流量を制御する泡消火薬剤側オリフィスが設けられ、水側オリフィスと泡消火薬剤側オリフィスにより水と泡消火薬剤の混合率に応じて水の流量と泡消火薬剤の流量が制御されるようになっている（例えば、公知文献１参照。）。
【０００３】
かかる泡消火薬剤混合装置では、水側オリフィスと泡消火薬剤側オリフィスにより水と泡消火薬剤の混合率に応じて水の流量と泡消火薬剤の流量を制御しているが、水と泡消火薬剤は温度によってそれぞれの粘度が異なるため、設計標準温度を設定し、当該温度において生成される泡水溶液の濃度（水と泡消火薬剤の混合割合）が所定の値になるように水側オリフィスと泡消火薬剤側オリフィスのオリフィス径を決定するといったことが一般に行われている。
【先行技術文献】
【非特許文献】
【０００４】
【非特許文献１】平成１７年１１月１１日、危険物保安技術協会発行、「屋外タンク貯蔵所の泡消火設備の一体的な点検に係る講習テキスト」
【発明の概要】
【発明が解決しようとする課題】
【０００５】
しかしながら、従来のプレッシャー・プロポーショナー方式の泡消火薬剤混合装置では、温度変化すれば水と泡消火薬剤の粘度が変化するものであり、現実の温度が設定した設計標準温度と異なると、設計標準温度でオリフィス径が決定された水側オリフィスと泡消火薬剤側オリフィスによる水と泡消火薬剤の流量も異なることになり、両者の混合率に狂いが生じることになる。
このことを見越して、水と泡消火薬剤の混合率に幅を持たせた混合率範囲を設定するケースがあり、例えば、６％型（混合率６％）で６．０〜８．０％、３％型（混合率３％）で３．０〜４．０％、１％型（混合率１％）で１．０〜１．３％の範囲に設定されている。
しかし、混合率１％型のような、一般に低濃度型とよばれる泡消火薬剤の混合は混合率範囲が狭く、混合率範囲内の混合が非常に困難であった。そこで、泡消火薬剤側オリフィスとして、特殊な流量制御方法、例えば、温度変化に応じてオリフィス径が変化するばね仕掛けの可変オリフィス等を用いるものもあるが、故障が多く、維持管理が面倒であるといった問題点があった。
【０００６】
本発明の目的は、温度変化による混合率の狂いが少なく、低濃度型とよばれる泡消火薬剤の混合にも適したプレッシャー・プロポーショナー方式の泡消火薬剤混合装置を提供することにある。
【０００７】
本発明の他の目的は、泡消火薬剤側オリフィスとして故障が少なく、維持管理が容易なプレッシャー・プロポーショナー方式の泡消火薬剤混合装置を提供することにある。
【課題を解決するための手段】
【０００８】  上記の目的を達成するために、請求項１に記載の発明は、送水配管で送られてくる水を泡消火薬剤と所定の混合率で混合する流量に制御する水側オリフィスと、前記水側オリフィスの上流側の前記送水配管から分岐して設けられ泡消火薬剤貯蔵タンク内に水を送り込んで前記泡消火薬剤貯蔵タンク内の泡消火薬剤を加圧する水導入管と、導入された水による前記泡消火薬剤貯蔵タンク内の加圧によって送出された前記泡消火薬剤を前記水側オリフィスの下流側に位置する前記送水配管に設けられた合流部に送り出して前記水側オリフィスを通過してきた水と合流させる泡消火薬剤送出管と、前記泡消火薬剤貯蔵タンク内の加圧によって送出される前記泡消火薬剤を水と所定の混合率で混合する流量に制御する泡消火薬剤側オリフィスと、前記合流部で生成された泡水溶液を送出する泡水溶液配管とを備えたダイヤフラムによるプレッシャー・プロポーショナー方式の泡消火薬剤混合装置において、前記泡消火薬剤側オリフィスは前記水導入管に設けられていることを特徴とする。 請求項２に記載の発明は、送水配管で送られてくる水の流量を制御する水側オリフィスと、前記水側オリフィスの上流側の前記送水配管から分岐して設けられ泡消火薬剤貯蔵タンク内に水を送り込んで前記泡消火薬剤貯蔵タンク内の泡消火薬剤を加圧する水導入管と、導入された水による前記泡消火薬剤貯蔵タンク内の加圧によって送出された前記泡消火薬剤を前記水側オリフィスの下流側に位置する前記送水配管に設けられた合流部に送り出して前記水側オリフィスを通過してきた水と合流させる泡消火薬剤送出管と、前記泡消火薬剤貯蔵タンク内の加圧によって送出される前記泡消火薬剤の流量を制御する泡消火薬剤側オリフィスと、前記合流部で生成された泡水溶液を送出する泡水溶液配管とを備えたプレッシャー・プロポーショナー方式の泡消火薬剤混合装置において、前記水側オリフィスと前記泡消火薬剤側オリフィスは設計標準温度で所定の泡水溶液の濃度に混合されるようにオリフィス径が決定されており、前記泡消火薬剤側オリフィスは前記水導入管に設けられていることを特徴とする。 請求項３に記載の発明は、請求項２に記載の、前記水側オリフィスと前記泡消火薬剤側オリフィスは通過面積が固定されたオリフィスのみであることを特徴とする。 請求項４に記載の発明は、請求項２又は３のいずれか１項に記載の、前記泡消火薬剤送出管と前記送水配管は合流部にて所定の混合率の前記泡水溶液が配管上で生成されることを特徴とする。
【発明の効果】
【０００９】
請求項１に記載のプレッシャー・プロポーショナー方式の泡消火薬剤混合装置によれば、前記泡消火薬剤側オリフィスが前記水導入管に設けられているので、前記水導入管を通る水は、前記水導入管に設けられた前記泡消火薬剤側オリフィスにより所定の流量に制御されて前記泡消火薬剤貯蔵タンク内に導入されることになり、当該導入された水の量と同じ量の泡消火薬剤を送り出すことができる。このようにして泡消火薬剤の流量を制御する水は、泡消火薬剤と比較して温度変化による粘度の変化が著しく小さいことから、温度変化による水と泡消火薬剤の混合率の狂いが少なく、低濃度型とよばれる泡消火薬剤の混合にも有効に用いることができる。
また、前記泡消火薬剤オリフィスは通過面積が固定された一般的なオリフィスのみを用いて低濃度型とよばれる泡消火薬剤の混合にも有効に用いることができるので、ばね仕掛けの可変オリフィス等の特殊な流量制御方法に比べ、低コストで得られ、故障が少なく、維持管理が容易となる。さらに、オリフィスを交換することのみで、濃度の異なる泡消火薬剤への換装が容易となる。
【図面の簡単な説明】
【００１０】
【図１】本発明に係るプレッシャー・プロポーショナー方式の泡消火薬剤混合装置を実施するための形態の一例を示す概略構成図である。
【発明を実施するための形態】
【００１１】
以下、本発明に係るプレッシャー・プロポーショナー方式の泡消火薬剤混合装置の実施の形態の一例を図１を参照して詳細に説明する。
【００１２】
本例のプレッシャー・プロポーショナー方式の泡消火薬剤混合装置１は、水源水槽２からポンプ３で汲み上げられた水を圧送する送水配管４に、後述する泡消火薬剤と混合する水の流量を制御する水側オリフィス５が設けられている。
【００１３】
この水側オリフィス５の上流側で送水配管４には、泡消火薬剤貯蔵タンク６内に水を送り込む水導入管７が送水配管４から分岐して設けられており、水導入管７を通して泡消火薬剤貯蔵タンク６内に導入された水の圧力を利用し、泡消火薬剤貯蔵タンク６内の泡消火薬剤を加圧して泡消火薬剤と水とを置換させて泡消火薬剤を押し出すようになっている。
【００１４】
泡消火薬剤貯蔵タンク６内に導入された水による泡消火薬剤の加圧方式は、本例ではダイヤフラム加圧方式となっており、泡消火薬剤貯蔵タンク６内に泡消火薬剤を収容したゴム等の素材で形成された袋状のダイヤフラム８が配置され、泡消火薬剤貯蔵タンク６内に導入された水によりダイヤフラム８が外から加圧してダイヤフラム８内に収容されている泡消火薬剤を押し出すようになっている。
【００１５】
ダイヤフラム８内と水側オリフィス５の下流側における送水配管４の合流部９が泡消火薬剤送出管１０で接続され、泡消火薬剤貯蔵タンク６内に導入された水により加圧されてダイヤフラム８内から押し出した泡消火薬剤を、泡消火薬剤送出管１０を通して水側オリフィス５の下流側に位置する送水配管４に設けられた合流部９に送り出して、水側オリフィス５を通過してきた水と合流させ泡水溶液を生成するようになっている。さらに、合流部９には、合流部９で生成された泡水溶液を送出する泡水溶液配管１１が接続されている。泡水溶液配管１１の先端には、泡発生器１２が設けられている。
【００１６】
さらに、水側オリフィス５の上流側で送水配管４から分岐して、送水配管４を通る水の一部を泡消火薬剤貯蔵タンク６内に水を送り込む水導入管７には、水と泡消火薬剤の混合率に応じた泡消火薬剤の流量と同量の水を通過させる泡消火薬剤側オリフィス１３が設けられている。
【００１７】
上記のように構成された泡消火薬剤混合装置１では、水源水槽２からポンプ３で汲み上げられた水が送水配管４を圧送されて泡消火薬剤混合装置１に到達すると、送られてきた水は送水配管４に設けられた水側オリフィス５を通過し、泡消火薬剤との混合率に応じた所定の流量に制御されて水側オリフィス５の下流側の送水配管４へ送り出される。
【００１８】
また、前記送られてきた水の一部は水側オリフィス５による抵抗で、水側オリフィス５の上流側の送水配管４から分岐して設けられた水導入管７に流れる。水導入管７には、水と泡消火薬剤の混合率に応じた泡消火薬剤の流量と同量の水を通過させる泡消火薬剤側オリフィス１３が設けられているので、水導入管７を通る水は泡消火薬剤側オリフィス１３により水との混合率に応じた泡消火薬剤の流量と同じ水量に制御されて泡消火薬剤貯蔵タンク６内に導入される。泡消火薬剤貯蔵タンク６内に導入された水により泡消火薬剤貯蔵タンク６内に配置されているダイヤフラム８が外から加圧してダイヤフラム８内に収容されている泡消火薬剤が押し出され、ダイヤフラム８内から押し出された泡消火薬剤は泡消火薬剤送出管１０を通して水側オリフィス５の下流側に位置する送水配管４に設けられた合流部９に送り出され、ここで水側オリフィス５を通過してきた水と合流して所定の混合率の泡水溶液が生成される。
【００１９】
このように泡消火薬剤混合装置１によれば、泡消火薬剤側オリフィス１３を水導入管７に設けているので、水導入管７を通る水は、水導入管７に設けられた泡消火薬剤側オリフィス１３により所定の流量に制御されて泡消火薬剤貯蔵タンク６内に導入されることになり、当該導入された水の量と同じ量の泡消火薬剤を送り出すことができる。
【００２０】
このようにして泡消火薬剤の流量を制御する水は、泡消火薬剤と比較して温度変化による粘度の変化が著しく小さいことから、温度変化による水と泡消火薬剤の混合率の狂いが少なく、低濃度型とよばれる泡消火薬剤の混合にも有効に用いることができる。
【００２１】
また、泡消火薬剤オリフィス１３は通過面積が固定された一般的なオリフィスのみを用いて低濃度型とよばれる泡消火薬剤の混合にも有効に用いることができるので、ばね仕掛けの可変オリフィス等の特殊な流量制御方法に比べ、低コストで得られ、故障が少なく、維持管理が容易となる。さらに、オリフィスを交換することのみで、濃度の異なる泡消火薬剤への換装が容易となる。
【００２２】
なお、上記実施例では、ダイヤフラム加圧方式のプレッシャー・プロポーショナー方式の泡消火薬剤混合装置に適用した実施例について説明したが、本発明はこれに限定されるものではなく、図示しないが泡消火薬剤貯蔵タンク内の泡消火薬剤を加圧水で直接加圧する直接加圧方式のものにも適用することができる。
【符号の説明】
【００２３】
１  泡消火薬剤混合装置
２  水源水槽
３  ポンプ
４  送水配管
５  水側オリフィス
６  泡消火薬剤貯蔵タンク
７  水導入管
８  ダイヤフラム
９  合流部
１０  泡消火薬剤送出管
１１  泡水溶液配管
１２  泡発生器
１３  泡消火薬剤オリフィス
【図１】
0005755028.tif 000002